(57)【要約】【課題】剛性調節ができる柱脚固定構造を提供する。【解決手段】アンカー筋２１，２２が基礎コンクリート１１内に垂直に埋め込まれ、上方に突出している。鋼管柱３０の下端のベース３１がこのアンカー筋２１，２２の突出部分に固定されている。アンカー筋２１，２２はねじ鉄筋からなり、アンカー筋の中間部に、定着ナット２６が螺合されている。アンカー筋２１，２２には、基礎コンクリート１１の上面またはその近傍と定着ナット２６との間の部位において、シース２８が被せられ、これにより当該部位が基礎コンクリート１１に対してアンボンドとなっている。シース２８の下端は定着ナット２６に当たっている。【選択図】　　　　図１
2004137770.tif 000002
【特許請求の範囲】
【請求項１】
基礎コンクリート内に埋め込まれて垂直に延びる複数のアンカー筋が、基礎コンクリートから上方に突出し、このアンカー筋の突出部分に柱脚を固定するようにした柱脚固定構造において、
上記アンカー筋がねじ鉄筋からなり、アンカー筋の中間部に、アンカー筋の基礎コンクリートに対する定着強度を高める中間定着ナットが螺合されていることを特徴とする柱脚固定構造。
【請求項２】
上記中間定着ナットはアンカー筋に螺合される筒部とこの筒部から径方向に突出する環状の鍔部とを一体に有していることを特徴とする請求項１に記載の柱脚固定構造。
【請求項３】
上記アンカー筋は、上記基礎コンクリートの上面またはその近傍と上記中間定着ナットの間の部位が、上記基礎コンクリートに対してアンボンドとなっていることを特徴とする請求項１または２に記載の柱脚固定構造。
【請求項４】
上記アンカー筋には、上記基礎コンクリートの上面またはその近傍と上記中間定着ナットの間の部位において、シースが被せられ、これにより当該部位が基礎コンクリートに対してアンボンドとなっており、このシースの下端が上記中間定着ナットに当たっていることを特徴とする請求項３に記載の柱脚固定構造。
【請求項５】
柱が鋼管からなり、この鋼管柱の下端にベースが固定され、このベースは板形状をなして鋼管柱の下端を塞ぐとともに鋼管柱の外周面から突出しており、上記アンカー筋は、鋼管柱の外側に位置する第１のアンカー筋と、鋼管柱の内側に位置する第２のアンカー筋とを含み、上記第１アンカー筋が上記ベースを貫通してこのベースに固定され、上記第２アンカー筋が上記ベースを貫通してこのベースまたは鋼管柱の柱脚部に固定され、これら第１，第２アンカー筋に上記中間定着ナットが螺合されていることを特徴とする請求項１〜４のいずれかに記載の柱脚固定構造。
【請求項６】
基礎コンクリート内に埋め込まれて垂直に延びる複数のアンカー筋が、基礎コンクリートから上方に突出し、このアンカー筋の突出部分に柱脚を固定するようにした柱脚固定構造において、
上記アンカー筋がねじ鉄筋からなり、アンカー筋の中間部に支持ナットが螺合され、
上記アンカー筋には、上記基礎コンクリートの上面またはその近傍と上記支持ナットの間の部位において、シースが被せられ、これにより当該部位が基礎コンクリートに対してアンボンドとなっており、このシースの下端が上記支持ナットに当たっていることを特徴とする柱脚固定構造。
【請求項７】
柱が鋼管からなり、この鋼管柱の下端にベースが固定され、このベースは板形状をなして鋼管柱の下端を塞ぐとともに鋼管の外周面から突出しており、上記アンカー筋は、鋼管の外側に位置する第１のアンカー筋と、鋼管の内側に位置する第２のアンカー筋とを含み、上記第１アンカー筋が上記ベースを貫通してこのベースに固定され、上記第２アンカー筋が上記ベースを貫通してこのベースまたは鋼管柱の柱脚部に固定され、これら第１，第２アンカー筋に上記支持ナットが螺合されるとともに上記シースが被せられていることを特徴とする請求項６に記載の柱脚固定構造。
【請求項８】
柱が鉄骨からなり、この鉄骨柱の下端にベースが固定され、上記アンカー筋はこのベースを貫通し、アンカー筋に螺合される固定ナットによりベースに固定されていることを特徴とする請求項１または６に記載の柱脚固定構造。
【請求項９】
さらに下部定着ナットを備え、この下部定着ナットは、アンカー筋の下端部に螺合される筒部とこの筒部から径方向に突出する環状の鍔部とを一体に有していることを特徴とする請求項１〜８のいずれかに記載の柱脚固定構造。
【発明の詳細な説明】
【０００１】
【発明の属する技術分野】
本発明は、柱脚をコンクリート基礎に固定する構造に関し、特に、剛性を調整できる柱脚固定構造に関する。
【０００２】
【従来の技術】
鉄骨柱の露出型柱脚固定構造を例にとって説明する。鉄骨柱の下端にはベースが固定されており、このベースが基礎コンクリートに載せられている。基礎コンクリートには垂直に延びる複数のアンカー筋が埋設されており、このアンカー筋が基礎コンクリートから上方に突出して上記ベースに貫通，固定されている。
【０００３】
特開平１１−１５８８８４号公報に開示され鉄骨柱の柱脚固定構造では、アンカー筋がアンボンドタイプであり、このアンカー筋の下端部に定着板が固定されている。地震の際に鉄骨柱の柱脚に曲げモーメントが働くと、一部のアンカー筋に引張荷重が作用し、この引張荷重を定着板を介して基礎コンクリートが受けるようになっている。アンカー筋はアンボンドタイプであるので、上記引張荷重により弾性変形し、引張荷重が降伏点を超えると塑性変形して地震のエネルギーを吸収するようになっている。
実開平６−７１５３４号公報に開示された柱脚固定構造では、アンボンドタイプのアンカー筋の下端が共通のアンカープレートに固定されており、アンカー筋に働く引張り荷重をアンカープレートを介して基礎コンクリートで受けるようになっている。
【０００４】
【特許文献１】
特開平１１−１５８８８４号公報（図１，段落００２６参照）
【特許文献２】
実開平６−７１５３４号公報（図１）
【０００５】
【発明が解決しようとする課題】
上記公報の柱脚固定構造では、アンカー筋の下端の定着板またはアンカーフレームと基礎コンクリートの定着だけで、剛性を得ており、この剛性を予め調節することはできなかった。
【０００６】
【課題を解決するための手段】
上記課題を解決するため、本発明の１つの態様では、基礎コンクリート内に埋め込まれて垂直に延びる複数のアンカー筋が、基礎コンクリートから上方に突出し、このアンカー筋の突出部分に柱脚を固定するようにした柱脚固定構造において、上記アンカー筋がねじ鉄筋からなり、アンカー筋の中間部に、アンカー筋の基礎コンクリートに対する定着強度を高める中間定着ナットが螺合されていることを特徴とする。
この構成によれば、基礎コンクリート打設前に、中間定着ナットの螺合位置を変えることにより、アンカー筋と基礎コンクリートとの定着強度を変えることができ、柱脚固定構造を所望の剛性となるように調節することができる。
【０００７】
上記発明の態様において、好ましくは、上記中間定着ナットはアンカー筋に螺合される筒部とこの筒部から径方向に突出する環状の鍔部とを一体に有している。このような単品からなる簡単な構造の中間定着ナットで、定着強度に寄与することができる。
【０００８】
さらに好ましくは、上記アンカー筋は、上記基礎コンクリートの上面またはその近傍と上記中間定着ナットの間の部位が、上記基礎コンクリートに対してアンボンドとなっている。
これによりアンカー筋は、中間定着ナットの上方がアンボンド領域となり、中間定着ナットの下方が自身のねじ節により基礎コンクリートと付着する領域となる。付着領域は柱脚固定構造の剛性に寄与し、アンボンド領域は地震エネルギーの吸収性に寄与する。その結果、上記中間定着ナットの螺合位置を調節することにより、剛性と地震エネルギー吸収性の良好なバランスをとりながら剛性調節を行うことができる。
【０００９】
さらに好ましくは、上記アンカー筋には、上記基礎コンクリートの上面またはその近傍と上記中間定着ナットの間の部位において、シースが被せられ、これにより当該部位が基礎コンクリートに対してアンボンドとなっており、このシースの下端が上記中間定着ナットに当たっている。
この構成によれば、シースを用いることにより、簡単にアンカー筋の一部をアンボンドにすることができる。また、基礎コンクリートの打設前にシースは中間定着ナットにより位置決めすることができ、施工性が良い。
【００１０】
柱が鋼管からなる場合には、この鋼管柱の下端にベースが固定され、このベースは板形状をなして鋼管柱の下端を塞ぐとともに鋼管柱の外周面から突出しており、上記アンカー筋は、鋼管柱の外側に位置する第１のアンカー筋と、鋼管柱の内側に位置する第２のアンカー筋とを含み、上記第１アンカー筋が上記ベースを貫通してこのベースに固定され、上記第２アンカー筋が上記ベースを貫通してこのベースまたは鋼管柱の柱脚部に固定され、これら第１，第２アンカー筋に上記中間定着ナットが螺合される。
この構成によれば、鋼管柱の外側の第１アンカーのみならず、内側にも第２アンカー筋が配置されているので、柱脚固定構造の強度が高まるとともに、第１，第２アンカーの両者に中間定着ナットを螺合したので、剛性調節機能を高めることができる。
【００１１】
本発明の他の態様では、基礎コンクリート内に埋め込まれて垂直に延びる複数のアンカー筋が、基礎コンクリートから上方に突出し、このアンカー筋の突出部分に柱脚を固定するようにした柱脚固定構造において、
上記アンカー筋がねじ鉄筋からなり、アンカー筋の中間部に支持ナットが螺合され、上記アンカー筋には、上記基礎コンクリートの上面またはその近傍と上記支持ナットの間の部位において、シースが被せられ、これにより当該部位が基礎コンクリートに対してアンボンドとなっており、このシースの下端が上記支持ナットに当たっていることを特徴とする。
この構成によれば、アンカー筋は、支持ナットの上方がアンボンド領域となり、中間定着ナットの下方が自身のねじ節により基礎コンクリートと付着する領域となる。付着領域は柱脚固定構造の剛性に寄与し、アンボンド領域は地震エネルギーの吸収性に寄与する。その結果、上記支持ナットの螺合位置を調節することにより、剛性と地震エネルギー吸収性の良好なバランスをとりながら剛性調節を行うことができる。しかも、シースを用いることにより、簡単にアンカー筋の一部をアンボンドにすることができる。また、基礎コンクリートの打設前にシースは支持ナットにより位置決めすることができ、施工性が良い。
【００１２】
上記他の態様において、柱が鋼管からなる場合には、この鋼管柱の下端にベースが固定され、このベースは板形状をなして鋼管柱の下端を塞ぐとともに鋼管の外周面から突出しており、上記アンカー筋は、鋼管の外側に位置する第１のアンカー筋と、鋼管の内側に位置する第２のアンカー筋とを含み、上記第１アンカー筋が上記ベースを貫通してこのベースに固定され、上記第２アンカー筋が上記ベースを貫通してこのベースまたは鋼管柱の柱脚部に固定され、これら第１，第２アンカー筋の上記支持ナットが螺合されるとともに、上記シースが被せられている。
この構成によれば、鋼管柱の外側の第１アンカーのみならず、内側にも第２アンカー筋が配置されているので、柱脚固定構造の強度が高まるとともに、第１，第２アンカーの両者に支持ナットを螺合するとともにシースを被せたので、剛性調節機能を高めることができる。
【００１３】
柱が鉄骨からなる場合には、この鉄骨柱の下端にベースが固定され、上記アンカー筋はこのベースを貫通し、アンカー筋に螺合される固定ナットによりベースに固定されている。アンカー筋がねじ鉄筋からなるので、固定ナットを螺合することができる。
【００１４】
さらに下部定着ナットを備え、この下部定着ナットは、アンカー筋の下端部に螺合される筒部とこの筒部から径方向に突出する環状の鍔部とを一体に有している。アンカー筋がねじ鉄筋からなるので、下部定着ナットを螺合することができる。このような単品からなる簡単な構造の下部定着ナットにより、アンカー筋の下端部の定着強度に寄与することができる。
【００１５】
【発明の実施の形態】
以下、本発明の第１実施形態に係わる露出型の柱脚固定構造について説明する。図１において符号１０は基礎梁（基礎）を示す。この基礎梁１０は、水平に延びる多数の梁筋（横筋）にスターラップ筋（剪断補強筋）を掛けて構築された鉄筋構造体（図示しない）を、コンクリート１１に埋設することにより、構築されている。
【００１６】
図１，図３に示すように、上記基礎コンクリート１１には、正方形の断面形状をなす領域Ａ内に、垂直に延びるアンカー筋２１，２２が埋設されている。詳述すると、領域Ａの周辺部（四隅部と辺の中間部）には、合計１２本のアンカー筋２１（第１アンカー筋）が配置され、領域Ａの中央近傍にも４本のアンカー筋２２（第２アンカー筋）が配置されている。これらアンカー筋２１，２２は、上方から見た時、縦横に等間隔をなし全体としてマトリックス状に配置されている。そして、水平をなす正方形のリング形状の多数のフープ筋２３（第１フープ筋）が、上記１２本のアンカー筋２１を囲み、上下に間隔をおいて配置されている。これらフープ筋２３はアンカー筋２１に外接され、番線等で連結されている。また、中央近傍の４本のアンカー筋２２にも、上記フープ筋２３より小さい正方形のフープ筋２４が上下に間隔をおいて配置され、フープ筋２３と同様にして連結されている。このようにして、アンカー筋２１，２２とフープ筋２３，２４からなる基礎柱構造体２０が構築されている。
【００１７】
上記アンカー筋２１とフープ筋２３により、基礎柱構造体２０において最も外側の鉄筋籠が構成される。すなわち、このアンカー筋２１とフープ筋２３からなる鉄筋籠の外側には基礎柱構造体２０のための鉄筋籠は存在しない。
【００１８】
上記アンカー筋２１，２２は、高強度のねじ鉄筋からなる。アンカー筋２１，２２の上端部は、上記基礎梁１０のコンクリート１１の上面から突出している。なお、中央近傍部のアンカー筋２２の突出長さは、周辺部のアンカー筋２１の突出長さに比べて大となっている。
【００１９】
図１に示すように、すべてのアンカー筋２１，２２の下端はほぼ等しい高さに位置し、これら下端には定着ナット２５（下部定着ナット）が取り付けられている。この定着ナット２５は図４に示すように、筒部２５ａと、この筒部２５ａの下端を塞ぐ端板部２５ｂとを一体に有している。この筒部２５ａは、内周がねじ孔２５ｘとなっており、外周面が断面多角形となっている。端板部２５ｂの周縁部は環状の鍔部２５ｙとなって筒部２５ａの外周から径方向に突出している。定着ナット２５の螺合をその端板部２５ｂがアンカー筋２１，２２の下端に当たるまで進めた後で、端板部２５ｂに形成した注入口２５ｚからグラウト（充填材）を注入することにより、定着ナット２５がアンカー筋２１，２２に固定される。
【００２０】
図１に示すように、すべてのアンカー筋２１，２２の中間位置にも定着ナット２６（中間定着ナット，支持ナット）が螺合されている。この定着ナット２６は図４に示すように、外周面が多角形をなす筒部２６ａとこの筒部２６ａの下端から径方向に突出する環状の鍔部２６ｙとを有している。筒部２６ａには、上下端が開口したねじ孔２６ｘが形成されている。定着ナット２６をアンカー筋２１，２２に螺合させ、所望位置に位置決めした後で、筒部２６ａに形成した注入口２６ｚからグラウト（充填材）を注入することにより、定着ナット２６がアンカー筋２１，２２に固定される。
【００２１】
上記アンカー筋２１，２２において、上記定着ナット２６と基礎コンクリート１１の上面またはその近傍との間の部位には、ビニール等の樹脂製のシース２８が被せられている。このシース２８により、アンカー筋２１，２２は、基礎コンクリート１１に対してアンボンド状態になっている。なお、アンカー筋２１，２２において定着ナット２６より下方の部位は、そのねじ節により基礎コンクリート１１に対して付着状態にある。
【００２２】
上記基礎柱構造体２０の上端部に、断面正方形の鋼管（鉄骨）からなる柱３０の柱脚が固定されている。詳述すると、柱３０の下端には、この下端開口を塞ぐようにして平板形状のベース３１が溶接により固定されている。このベース３１は、柱３０より大きな正方形をなして柱３０の外面から水平に突出している。ベース３１には、上記アンカー筋２１，２２に対応して貫通孔が形成されており、これらアンカー筋２１，２２を貫通させてその上面から突出させるようになっている。
【００２３】
周辺部のアンカー筋２１の上端部には、受けナット４１が正確に高さ調節された状態で螺合されており、この受けナット４１に上記ベース３１が載っている。ベース３１から上方に突出したアンカー筋２１の上端部には固定ナット４２とロックナット４３が螺合されており、この固定ナット４２をベース３１に向かって締め付けることにより、ベース３１がアンカー筋２１に固定されている。ロックナット４３は、固定ナット４２に向かって締め付けられ、この固定ナット４２の緩みを防止する。ベース３１と基礎コンクリート１１との隙間にはモルタル４５が充填されている。なお、アンカー筋２１がネジ鉄筋からなるので、上記４１，４２，４３は、アンカー筋２１に特別な加工をせずに螺合することができる。
【００２４】
上記中央近傍部のアンカー筋２２は、鋼管柱３０内に配置されていて、所定長さにわたって上方に延びている。この鋼管柱３０の柱脚部にはコンクリート４６（又はモルタル，総称して充填材）が充填されており、このコンクリート４６内に上記アンカー筋２２の上端部（ベース３１からの突出部分）が埋設されている。なお、柱３０にはこのコンクリート４６を充填するための供給口３０ａが形成されている。アンカー筋２２のねじ節とコンクリート４６との付着により、柱３０の柱脚部とアンカー筋２２の上端部とが固定される。
【００２５】
次に、上記柱脚固定構造を構築する工程について簡単に説明する。上述したように、基礎柱構造体３０を構築する工程に先だって、定着ナット２５，２６をアンカー筋２１，２２に装着する。定着ナット２６の高さ（螺合位置）は、柱脚固定構造が要求される剛性，地震の際のエネルギー吸収性を考慮して調節される。さらに、アンカー筋２１の上部にはシース２８を被せる。このシース２８はその下端が定着ナット２６に当たることにより位置決め支持される。なお、シース２８は、定着ナット２６の螺合位置に応じて切断してその長さを調節する。シース２８の上端は後述する基礎コンクリート１１の上面とほぼ一致させる。アンカー筋２１，２２の上端部はこのシース２８の上端から突出する。なお、基礎柱構造体３０の構築に際して、上側に位置するフープ筋２３，２４は、これらシース２８に外接した状態で連結される。基礎柱構造体３０の構築後に、基礎コンクリート１１を打設する。
【００２６】
次に、アンカー筋２１に受けナット４１を螺合させて位置決めさせた後に、下端にベース３１を有する柱３０を降ろして、ベース３１にアンカー筋２１，２２を貫通させるとともに、このベース３１を受けナット４１に載せる。ベース３１と基礎コンクリート１１の上面との間の隙間にはモルタル４５を詰める。次に、固定ナット４２，ロックナット４３でベース３１をアンカー筋２１の上端部に固定するとともに、コンクリート４６で柱３０の柱脚部とアンカー筋２２の上端部とを固定する。
【００２７】
上記構成をなす柱脚固定構造の作用を説明する。地震の際に柱３０が図１において左右いずれか一方に傾いて、その柱脚部に曲げモーメントが働くと、一部のアンカー筋２１，２２に引張荷重が作用する。この際、アンカー筋２１，２２には、定着ナット２５，２６間におけるねじ節および定着ナット２５，２６と、基礎コンクリート１１との付着を介して、基礎コンクリート１１が引張荷重を受け止めるようになっている。
【００２８】
アンカー筋２１，２２のシース２８で囲われたアンボンド領域では、上記引張荷重により弾性変形し、引張荷重が降伏点を超えると塑性変形して地震のエネルギーを吸収する。
【００２９】
基礎コンクリート１１の打設前に定着ナット２６の螺合位置を変えることにより、アンカー筋と基礎コンクリートとの定着強度を変えることができ、柱脚固定構造を所望の剛性となるように調節することができる。本実施形態では、アンカー筋２１，２２のアンボンド領域の長さ（アンカー筋２１，２２の変形可能領域の長さ）を調節でき、剛性と地震エネルギーの吸収性の良好なバランスを得ることができる。
【００３０】
本実施形態によれば、柱３０のベース３１に固定されるアンカー筋２１とこれを囲むフープ筋２３で構成された鉄筋籠が、基礎柱構造体２０の最も外側となり、このアンカー筋２１を囲む広い断面積の鉄筋籠を省略したから、基礎柱構造体２０の断面積を小さくすることができる。そして、アンカー筋２１とフープ筋２３からなる鉄筋籠の内側にアンカー筋２２とフープ筋２４からなる鉄筋籠を配置し、このアンカー筋２２を柱３０の柱脚部に固定したから、基礎柱構造体２０の強度を確保することができる。
【００３１】
次に、本発明の他の実施形態を図面を参照しながら説明する。これら実施形態において第１実施形態に対応する構成部には同番号を付してその詳細な説明を省略する。図５に示す第２実施形態では、中央近傍部のアンカー筋２２の上端に定着ナット２７（上部定着ナット）が螺合により取り付けられている点だけが第１実施形態と異なる。この定着ナット２７は第１実施形態の定着ナット２５と同様の構成であり、上下逆にしただけであるので、詳細な説明を省略する。この定着ナット２７によりコンクリート４６とアンカー筋２２の定着強度が高まる。なお、本実施形態では、アンカー筋２２が通る貫通孔３１ａは、定着ナット２７を通すために大径となっている。
【００３２】
図６に示す第３実施形態では、中央近傍部のアンカー筋２２がナット２７’によりベース３１に固定されている点だけが第１実施形態と異なる。このナット２７’は上記定着ナット２７と同様の構造である。ベース３１には、このナット２７’を収容する円形の収容孔３１ｂが形成されている。ナット２７’は鍔部を上にした状態で予め収容孔３１ｂに収容されている。グラウト４５の充填前に、ナット２７’を回してアンカー筋２２に螺合させることにより、アンカー筋２２にナット２７’が固定され、ひいてはベース３１が固定される。
【００３３】
本発明は上記実施形態に制約されず種々の態様が可能である。例えば、第１実施形態において、アンカー筋にシースを装着する代わりにコールタール等を塗ることによりアンボンド領域を得てもよい。
アンカー筋の中間に螺合するナットが定着強度に寄与する程度に径が大きい場合には、アンボンド領域はなくても剛性調節を行うことができる。この定着ナットは、径が充分大きい場合には鍔部を設けなくてもよい。また、定着ナットは、アンカー筋が貫通する定着板とこの定着板をアンカー筋に固定する一対のナットとにより別部品で構成してもよい。さらに、定着ナットを一対用意し、これを互いに近づけるようにして締め付けることにより、アンカー筋に固定してもよい。この場合、鍔部を互いに当接するのが好ましい。
下部定着ナット２５はグラウトを充填せずに充分なトルクを掛けて締め付けることによりアンカー筋に固定してもよい。中間定着ナット２６はロックナットを用いて締め付け固定してもよい。
【００３４】
シースを用いる場合には、アンカー筋の中間に螺合されるナット（支持ナット）は定着強度に寄与しない程度に径を小さくしても良い。
アンカー筋の下端部に下部定着ナットを装着する代わりに、基礎コンクリートに埋め込まれた共通のアンカーフレームまたはアンカープレートにアンカー筋の下端部を固定するようにしてもよい。
アンカー筋には選択的にナット（中間定着ナット，支持ナット）を螺合させてもよい。例えば周辺部のアンカー筋２１だけにナット２６を螺合させるようにしてもよい。
アンカー筋２１，２２の下端の高さは等しくなくてもよい。中央近傍のアンカー筋２２は省略してもよいし、受けナットも省略してよい。
さらに本発明は、鉄筋コンクリートの柱の柱脚を固定する場合にも適用できる。
【００３５】
【発明の効果】
以上説明したように、本発明は基礎コンクリートの打設に先立ち、柱脚固定構造の剛性の調節を行うことができる。
【図面の簡単な説明】
【図１】本発明の第１実施形態に係わる柱脚固定構造の縦断面図である。
【図２】図１においてＩＩ−ＩＩ線に沿う横断面図である。
【図３】図１においてＩＩＩ−ＩＩＩ線に沿う横断面図である。
【図４】同構造においてアンカー筋に装着される定着ナットを示す拡大縦断面図である。
【図５】本発明の第２実施形態に係わる柱脚固定構造の要部の縦断面図である。
【図６】本発明の第３実施形態に係わる柱脚固定構造の要部の縦断面図である。
【符号の説明】
１０　基礎梁（基礎）
１１　基礎コンクリート
２０　基礎柱構造体
２１　アンカー筋（第１アンカー筋）
２２　フープ筋（第１フープ筋）
２３　アンカー筋（第２アンカー筋）
２４　フープ筋（第２フープ筋）
２５　定着ナット（下部定着ナット，定着部材）
２６　定着ナット（中間定着ナット，支持ナット）
２８　シース
３０　柱
３１　ベース
４２　固定ナット
２７　定着ナット（上部定着ナット）
４６　セメント（充填材）
【図１】
2004137770.tif 000003
【図２】
2004137770.tif 000004
【図３】
2004137770.tif 000005
【図４】
2004137770.tif 000006
【図５】
2004137770.tif 000007
【図６】
2004137770.tif 000008